(57)【特許請求の範囲】
【請求項１】
遊技盤と、副遊技盤と、前記遊技盤の前面側に配される透明板と、を備える弾球遊技機において、
前記遊技盤の中央部には、前記遊技盤の前面に密接する縁部を有する枠体を備える第２遊技領域形成部材が設けられ、前記第２遊技領域形成部材の上方には、遊技球が流入する球入口が設けられ、
前記枠体は、左右の壁板と、天井板と、底部に形成された嵌合穴と、前記嵌合穴の中心側に張り出す張出部を有する固定部と、で構成され、
前記壁板の下奥部には球出口が形成され、前記球出口は、ワープ樋によって前記球入口と連通されており、
前記副遊技盤は、前記張出部に支承されて、奥側を高く手前側を低くして傾斜状に前記嵌合穴に嵌合され、
前記遊技盤及び前記副遊技盤は、遊技部材を打ち込み可能な合板で形成され、前記遊技部材が打ち込まれると共に入賞口に連通する入球穴が穿設されることにより、前記遊技盤の前面には第１遊技領域が形成され、前記副遊技盤の前面には第２遊技領域が形成され、
前記遊技盤に打ち出された遊技球は前記第１遊技領域を下方に落下し、
前記遊技盤に打ち出された遊技球のうちの一部の遊技球は、前記第２遊技領域形成部材の左右を通過して前記第１遊技領域に設けられた入賞口に入賞するか、又はアウト球となって前記遊技盤背面側に排出され、
前記遊技盤に打ち出された遊技球のうちの他の遊技球は、前記球入口に流入して前記球出口から前記第２遊技領域に流入し、前記第２遊技領域上に設けられた入賞口に入賞するか、又は前記第２遊技領域から前記第１遊技領域に落下して、前記第１遊技領域に設けられた入賞口に入賞するか、又はアウト球となって前記遊技盤背面側に排出される
ことを特徴とする弾球遊技機。
【発明の詳細な説明】
【０００１】
【発明の属する技術分野】
本発明は、パチンコ機やアレンジボール式パチンコ機等の弾球遊技機に関する。
【０００２】
【従来の技術】
従来、パチンコ機等の弾球遊技機は、遊技盤、遊技盤の前面側に配される透明板および透明板と遊技盤の前面との間に形成される遊技領域に配される遊技部材を備えていた。この弾球遊技機では、遊技領域における遊技球の挙動により入賞等（パチンコ機における入賞やアレンジボール式パチンコ機における得点の成立等）があると、それに応じて賞球としての遊技球を払出す等、遊技者に遊技上の価値を交付するのが普通である。
【０００３】
【発明が解決しようとする課題】
しかしながら、従来の弾球遊技機では、遊技盤上（遊技領域）にしか入球口等の遊技部材がなく趣向性に欠けていた。
また、遊技領域のスペースが小さく、著しくゲーム性を向上させるような改良は難しかった。特に、可変表示装置や大型の入賞装置の設置により、遊技領域の有効スペースが狭められる場合は、この問題は顕著であった。
【０００４】
なお、可変表示装置の飾り部材（センター役物と呼ばれることもある）において、遊技盤面よりも遊技盤の背面側になる位置にステージを設けて、このステージ上で遊技球を遊動させるものもあるが、遊動後の遊技球の進路（ステージからの落下位置）を不安定にするだけのもので趣向性に欠けていた。
【０００５】
本発明は、弾球遊技機の趣向性を向上させることを目的としている。
【０００６】
【課題を解決するための手段および発明の効果】
上記課題を解決するための請求項１記載の弾球遊技機は、
遊技盤と、副遊技盤と、前記遊技盤の前面側に配される透明板と、を備える弾球遊技機において、
前記遊技盤の中央部には、前記遊技盤の前面に密接する縁部を有する枠体を備える第２遊技領域形成部材が設けられ、前記第２遊技領域形成部材の上方には、遊技球が流入する球入口が設けられ、
前記枠体は、左右の壁板と、天井板と、底部に形成された嵌合穴と、前記嵌合穴の中心側に張り出す張出部を有する固定部と、で構成され、
前記壁板の下奥部には球出口が形成され、前記球出口は、ワープ樋によって前記球入口と連通されており、
前記副遊技盤は、前記張出部に支承されて、奥側を高く手前側を低くして傾斜状に前記嵌合穴に嵌合され、
前記遊技盤及び前記副遊技盤は、遊技部材を打ち込み可能な合板で形成され、前記遊技部材が打ち込まれると共に入賞口に連通する入球穴が穿設されることにより、前記遊技盤の前面には第１遊技領域が形成され、前記副遊技盤の前面には第２遊技領域が形成され、
前記遊技盤に打ち出された遊技球は前記第１遊技領域を下方に落下し、
前記遊技盤に打ち出された遊技球のうちの一部の遊技球は、前記第２遊技領域形成部材の左右を通過して前記第１遊技領域に設けられた入賞口に入賞するか、又はアウト球となって前記遊技盤背面側に排出され、
前記遊技盤に打ち出された遊技球のうちの他の遊技球は、前記球入口に流入して前記球出口から前記第２遊技領域に流入し、前記第２遊技領域上に設けられた入賞口に入賞するか、又は前記第２遊技領域から前記第１遊技領域に落下して、前記第１遊技領域に設けられた入賞口に入賞するか、又はアウト球となって前記遊技盤背面側に排出されることを特徴とする。
【０００７】
請求項１記載の弾球遊技機は、遊技盤の前面に形成される第１遊技領域の他に、第２遊技領域形成部材内に第２遊技領域を設けたので、全体として遊技のための領域が広くなり弾球遊技の趣向性を向上させることができる。さらに、副遊技盤を遊技盤と同じく合板製としたので、障害釘や風車等の遊技部材や入球口を、遊技盤に配置するものと同じものを使用でき、ハンマ等で曲げ調整することができ、第２遊技領域における趣向性を向上させることが可能である。
なお、遊技部材は、遊技球の進路を変化させたり、入球（入賞）に導くための部材であり、障害釘や風車が例示される。
【０００８】
【発明の実施の形態】
次に、本発明の実施例を図面を参照して説明することにより、発明の実施の形態を具体的に説明する。
【０００９】
【実施例１】
図１に示すように、弾球遊技機としてのパチンコ機２０の遊技盤２２の中央部には、プラスチック製のセンター役物２４が設置されている。センター役物２４の直下には始動入賞口２６が取り付けられ、始動入賞口２６の下方には大入賞装置２８が設置されている。大入賞装置２８は、開閉板３０を手前側に倒すと、その背後の大入賞口（図示略）が開放され、きわめて入賞しやすい状態となる。また、大入賞装置２８は、開閉板３０の左右に配された入賞口３２も備えている。さらに、大入賞装置２８の左右上方には、入賞口３４が設置されている。なお、遊技盤２２には、周知の障害釘や風車などの遊技部材が配置されているが、それらの図示は省略している。
【００１０】
遊技盤２２の前方は透明板としてのガラス板３６によって覆われており、遊技盤２２の前面、ガラス板３６およびガイドレール３８によって囲まれる部分が遊技領域４０となっている。なお、図５に示されるように、ガラス板３６は、実際には２枚のガラス板３６ａ、３６ｂが二重になっており、遊技領域４０は、正確には内側のガラス板３６ａと遊技盤２２との間に形成されている。また、内側のガラス板３６ａと遊技盤２２との距離は２０ｍｍに設定されている。
【００１１】
図１〜図５に示すように、センター役物２４は、額縁状のベース板４２を備えており、ベース板４２の前面上部には庇状の前飾り４４が固着されている。ベース板４２の内側には、枠体４６が連接されている。枠体４６は、床に相当する傾斜板４８、左右の壁板５０および天井板５２からなる筒状で、前後は開口５４、５６とされている。そして、図３、図４および図５に示すように、枠体４６の後部の開口５６には液晶表示装置５８が挿入されており、図１、図２、図４および図５に示すように、液晶表示装置５８の表示部６０は枠体４６の内側に露呈されている。
【００１２】
図１、図２、図３および図５に示すように、枠体４６の傾斜板４８にはピン状の障害突起６２が多数立設され、３つの入球口６４が設けられている。これら障害突起６２および入球口６４は傾斜板４８（すなわち枠体４６）と一体成形されている。これら障害突起６２および入球口６４が遊技部材に該当し、これらが含まれる傾斜板４８上の空間が第２遊技領域６５である。なお入球口６４の幅は１２．５ｍｍである。
【００１３】
図１、図２および図５に示すように、壁板５０の下奥隅には球出口６６が設けられている。図３、図４および図５に示すように、前飾り４４の上部には一対の球入口６８が設けられており、球入口６８には枠体４６の天井板５２および壁板５０に沿って配設されたワープ樋７０が接続されている。そして、図３および図５に示すように、ワープ樋７０の下端は球出口６６に接続されている。また、前飾り４４の左右の端部には球通過孔７２が設けられており、球通過孔７２に流入した遊技球は、前飾り４４の左右下端に開口する出口（図示略）から下方に落下する構造となっている。
【００１４】
図５に示すように、傾斜板４８は奥側が高く手前側を低くして傾斜しており、傾斜板４８上に遊技球があれば、この遊技球は奥側から手前側に転動、落下することになる。傾斜板４８には、入球口６４の対応して入球穴７４が設けられている。
【００１５】
センター役物２４は、遊技盤２２に設けられたセンター役物２４取付用の取付穴７６に枠体４６およびワープ樋７０を貫通させ、ベース板４２を遊技盤２２にビス止め固定されて、遊技盤２２に取り付けられている。そして、遊技盤２２の背面に設置された球集合樋７８が傾斜板４８の裏側に配されており、入球穴７４を通過した遊技球は、すべて球集合樋７８に流入する。また、球集合樋７８には、始動入賞口２６等に連通して遊技盤２２に穿設された入球穴７９を通過した遊技球も流入する構造である。
【００１６】
このパチンコ機２０においては、遊技盤２２上に撃ち出された遊技球は、障害釘や風車等によって進路を変化させられながら遊技領域４０を上方から下方へと落下する。そうした遊技球の一部は、センター役物２４を迂回して、あるいはセンター役物２４の球通過孔７２を通過して落下し、一部は遊技領域４０のいずれかの入賞口に入賞し、残りはアウト球となって、遊技盤２２の背面側に排出される。
【００１７】
一方、一部の遊技球はセンター役物２４の球入口６８からワープ樋７０に流入し、球出口６６から第２遊技領域６５に流入する。第２遊技領域６５に流入した遊技球は、例えば障害突起６２に衝突して進路を変化させられながら傾斜板４８上を転動し、あるものは入球口６４に流入して入球穴７４を通過し、球集合樋７８によって回収されて入賞球として処理される。また、入球口６４に流入しなかった遊技球は、傾斜板４８から落下することによって第２遊技領域６５から遊技領域４０に戻り、遊技領域４０のいずれかの入賞口に入るか、またはアウト球となって、遊技盤２２の背面側に排出される。
【００１８】
このように、遊技盤２２の前面に形成される遊技領域４０の他に、センター役物２４内に第２遊技領域６５を設けたので、全体として遊技のための領域が広くなり弾球遊技の趣向性を向上させることができる。
なお、傾斜板４８の全部または一部を例えば発泡性プラスチック製の板材や合板製として、これに遊技部材としての障害釘を打ち込んだり、入球口をビス等で取り付ける構成としてもよい。このようにすれば、遊技盤に配置するのと同じ遊技部材を使用できる。なお、遊技盤に打ち込まれるものと同じ障害釘（例えば全長３３．５ｍｍ）を使用するなら、板材の厚さを遊技盤と同等の厚さ（例えば１９ｍｍ）以上とすればよい。
【００１９】
【実施例２】
次に、別の実施例を説明する。なお、この例のパチンコ機は、実施例１のパチンコ機２０と共通する部分があるので、それらには実施例１と同じ品番を用いて説明を省略する。
【００２０】
図６に示すように、本実施例のパチンコ機８０の遊技盤２２の中央部には第２遊技領域形成部材８２が設置され、その上方には一対の球入口８４が設置されている。
図６および図７に示すように、第２遊技領域形成部材８２は、遊技盤２２の前面に密接される縁部８６を有する枠体８８を備えている。この枠体８８は、実施例１の枠体４６と同様の壁板９０および天井板９２を備えており、枠体８８の奥側の開口９３には液晶表示装置５８が装着され、その表示部６０が枠体８８の内側に露呈されている。また、壁板９０には実施例１におけると同様の球出口９４が設けられている。図７に示すように、球出口９４と遊技盤２２に取り付けられている球入口８４とはワープ樋９６によって連通されており、球入口８４に流入した遊技球は球出口９４から流出する。
【００２１】
さて、枠体８８の床に相当する部分には内側に嵌合穴９８を形成し嵌合穴９８の中心側に張り出す張出部１０１を有する固定部１０２が設けられており、副遊技盤１００は嵌合穴９８に嵌合され、固定部１０２の張出部１０１に支承されて、固定されている。なお、副遊技盤１００は、嵌合穴９８との嵌合により十分に固定されるのであるが、固定部１０２と副遊技盤１００とを接着剤等で固着してもよい。
【００２２】
この副遊技盤１００は、遊技盤２２と同材質（合板）で、板厚は約１９ｍｍである。図６および図７に示すように、副遊技盤１００には真鍮製の障害釘１０４（全長３３．５ｍｍ）が打ち込まれ（打ち込み長さ１５．８ｍｍ）、入口の幅が１２．５ｍｍの入球口１０６が取り付けられている。すなわち、この副遊技盤１００上が第２遊技領域１０１となっている。
【００２３】
図７に示すように、副遊技盤１００には、入球口１０６に対応する入球穴１０８が穿設されており、副遊技盤１００の背後には入球穴１０８に対応して球集合樋７８が配されている。また、第２遊技領域形成部材８２は、遊技盤２２に穿設された取付穴１１０に枠体８８を貫通させ、球入口８４に連通する樋取付穴１１２のワープ樋９６の上端部を嵌合させ、縁部８６を遊技盤２２にビス止めされて、遊技盤２２に取り付けられている。なお、遊技盤２２とガラス板３６ａとの距離は２０ｍｍに設定されている。
【００２４】
このパチンコ機８０においては、遊技盤２２上に撃ち出された遊技球は、障害釘や風車等によって進路を変化させられながら遊技領域４０を上方から下方へと落下する。そうした遊技球の一部は、第２遊技領域形成部材８２の前方や左右を通過して落下し、一部は遊技領域４０のいずれかの入賞口に入賞し、残りはアウト球となって、遊技盤２２の背面側に排出される。
【００２５】
一方、一部の遊技球は、球入口８４からワープ樋９６に流入し、球出口９４から第２遊技領域１０１に流入する。第２遊技領域１０１に流入した遊技球は、例えば障害釘１０４に衝突して進路を変化させられながら副遊技盤１００上を転動し、あるものは入球口１０６に流入して入球穴１０８を通過し、球集合樋７８によって回収されて入賞球として処理される。また、入球口１０６に流入しなかった遊技球は、第２遊技領域１０１から遊技領域４０に戻り、遊技領域４０のいずれかの入賞口に入るか、またはアウト球となって、遊技盤２２の背面側に排出される。
【００２６】
このように、遊技盤２２の前面に形成される遊技領域４０の他に、第２遊技領域形成部材８２内に第２遊技領域１０１を設けたので、全体として遊技のための領域が広くなり弾球遊技の趣向性を向上させることができる。
しかも、合板製の副遊技盤１００を用いて、これに遊技部材としての障害釘１０４を打ち込み、入球口１０６をビスで取り付ける構成としているので、遊技盤２２に配置するのと同じ遊技部材を使用できる。よって、第２遊技領域１０１用に特別な遊技部材を用意する必要はない。また、障害釘１０４は、例えばハンマ等で曲げ調節できるので、そうした調節によって第２遊技領域１０１における遊技の趣向性を向上させることが可能である。
【００２７】
なお、この副遊技盤を、前述の発泡性プラスチック製とすることも可能であり、そのようにしても合板の場合と同様の効果を得られる。
以上、二つの実施例に従って、本発明の実施の形態について説明したが、本発明はこれらの実施例に限定されるものではなく、本発明の要旨を逸脱しない範囲でさまざまに実施できることは言うまでもない。
【００２８】
例えば実施例１、２では第２遊技領域を液晶表示装置の装飾を兼ねるセンター役物内に設けているが、液晶表示装置（可変表示装置）とは別々に設けてもよいし、遊技盤の中央部以外に設けてもよい。
【図面の簡単な説明】
【図１】  実施例１のパチンコ機の正面図である。
【図２】  実施例１のパチンコ機のセンター役物の正面図である。
【図３】  実施例１のパチンコ機のセンター役物の前面側斜視図である。
【図４】  実施例１のパチンコ機のセンター役物の背面側斜視図である。
【図５】  実施例１のパチンコ機のセンター役物の図１に示すＡ−Ａ線に沿った断面図である。
【図６】  実施例２のパチンコ機の正面図である。
【図７】  実施例２のパチンコ機のセンター役物の図６に示すＡ−Ａ線に沿った断面図である。
【符号の説明】
２０…パチンコ機（弾球遊技機）    ２２…遊技盤    ２４…センター役物
２６…始動入賞口（遊技部材）    ２８…大入賞装置    ３０…開閉板
３２…入賞口（遊技部材）    ３４…入賞口（遊技部材）
３６ａ…ガラス板（透明板）    ３６ｂ…ガラス板    ３８…ガイドレール
４０…遊技領域    ４２…ベース板    ４４…前飾り    ４６…枠体
４８…傾斜板    ５０…壁板    ５２…天井板    ５４…開口
５８…液晶表示装置    ６０…表示部    ６２…障害突起（遊技部材）
６４…入球口（遊技部材）    ６５…第２遊技領域    ６６…球出口
６８…球入口    ７０…ワープ樋    ７２…球通過孔    ７４…入球穴
７６…取付穴    ７８…球集合樋    ７９…入球穴
８０…パチンコ機（弾球遊技機）    ８２…第２遊技領域形成部材
８４…球入口（遊技部材）    ８６…縁部    ８８…枠体    ９０…壁板
９２…天井板    ９３…開口    ９４…球出口    ９６…ワープ樋
９８…嵌合穴  １００…副遊技盤  １０１…第２遊技領域  １０２…固定部
１０４…障害釘（遊技部材）  １０６…入球口（遊技部材）  １０８…入球穴
１１０…取付穴  １１２…樋取付穴
【図１】
0004217812.tif 000002
【図２】
0004217812.tif 000003
【図３】
0004217812.tif 000004
【図４】
0004217812.tif 000005
【図５】
0004217812.tif 000006
【図６】
0004217812.tif 000007
【図７】
0004217812.tif 000008